(57)【要約】【課題】ヒンジ構造のねじれを抑え、表示部のブレを防止する。【解決手段】操作部５を備える操作部筐体２と、表示部１２を備える表示部筐体３と、操作部筐体２と表示部筐体３とを重ね合わせ可能に接続するとともに、表示部筐体３を操作部筐体２への重ね合わせ面を切り替えるように回動可能に支持する支持筐体４とを備える電子機器１である。操作部筐体２の表示部筐体３に対向する面には、操作部５が設けられるとともに、表示部筐体３と当接し操作部５との間隔を確保するスペーサ２０が設けられ、表示部筐体３の表示部１２が設けられた面と反対側の面には、表示部筐体３内の光源３１から放射される光を外部へ導く導光体３０が設けられ、導光体３０はスペーサ２０と係合する。【選択図】図６
2010088012.tif 000002
【特許請求の範囲】
【請求項１】
操作部を備える操作部筐体と、表示部を備える表示部筐体と、前記操作部筐体と前記表示部筐体とを重ね合わせ可能に接続するとともに、前記表示部筐体を前記操作部筐体への重ね合わせ面を切り替えるように回動可能に支持する支持筐体とを備える電子機器において、
前記操作部筐体の前記表示部筐体に対向する面には、前記操作部が設けられるとともに、前記表示部筐体と当接し前記操作部との間隔を確保するスペーサが設けられ、
前記表示部筐体の前記表示部が設けられた面と反対側の面には、前記表示部筐体内の光源から放射される光を外部へ導く導光体が設けられ、
前記導光体は前記スペーサと係合することを特徴とする電子機器。
【請求項２】
操作部を備える操作部筐体と、表示部を備える表示部筐体と、前記操作部筐体と前記表示部筐体とを重ね合わせ可能に接続するとともに、前記表示部筐体を前記操作部筐体への重ね合わせ面を切り替えるように回動可能に支持する支持筐体とを備える電子機器において、
前記表示部筐体の前記表示部が設けられた面とは反対側の面には、前記操作部筐体と係合する係合部が設けられていることを特徴とする電子機器。
【請求項３】
前記操作部は前記操作部筐体の前記表示部筐体に対向する面に設けられ、
前記操作部筐体と前記表示部筐体の互いに対向する面の一方には、前記操作部と前記表示部筐体との接触を防ぐスペーサが設けられ、
他方に前記スペーサと係合する係合部が設けられることを特徴とする請求項２に記載の電子機器。
【請求項４】
前記係合部は電子機器内の光源から放射される光を外部へ導く導光体であることを特徴とする請求項２または３に記載の電子機器。
【請求項５】
前記操作部筐体は、前記表示部筐体に対向する面と反対側の面に撮像装置を備え、
前記表示部は前記表示部筐体の前記操作部筐体と対向する面と反対側の面に配置され、
前記表示部は前記撮像装置による撮像動作時にファインダーとして用いられることを特徴とする請求項２〜４のいずれか一項に記載の電子機器。
【発明の詳細な説明】
【技術分野】
【０００１】
本発明は、電子機器に関する。
【背景技術】
【０００２】
近年、携帯電話機等の電子機器では、操作部筐体と表示部筐体とを重ね合わせるために、操作部筐体に対して表示部筐体を回転可能とする折り畳み式のものがある。さらに、カメラ機能やテレビ機能を搭載した電子機器では、その利便性を図るために、折り畳み用の第１回転軸だけでなく、第１回転軸に対して直交する第２回転軸を有する２軸ヒンジを用い、表示部筐体を操作部筐体に対して２軸で回転可能とし、表示部筐体の表示画面を表にしても裏にしても折り畳めるようにしたものが増えている。
【０００３】
例えば、特許文献１に記載の携帯電話機では、操作部筐体の上端部と表示部筐体の下端部とにおいて操作部筐体と表示部筐体とを連結する可動連結部に２軸ヒンジが用いられており、表示部筐体が左右方向の第１回転軸を中心に回転可能とされるとともに、上下方向の第２回転軸を中心に回転可能とされている。
【特許文献１】特開２００５−２２２３８５号公報
【発明の開示】
【発明が解決しようとする課題】
【０００４】
ところで、２軸ヒンジタイプの携帯電話機において、操作部筐体の背面に撮像装置を設け、折り畳んだ状態で表示部をファインダーとして使用するものが開発されている。
【０００５】
しかし、表示部筐体や操作部筐体は前後方向の厚さが左右方向の幅よりも薄いため、支持筐体に設けられる回転ヒンジの直径が筐体の厚さに限定され、幅に対して充分に太くすることができない。このため、第２回転軸を幅方向の中央位置に設けると、表示部筐体が左右方向、回転方向にねじれ、ファインダーとしての表示部がブレるという問題があった。
【０００６】
本発明の課題は、ヒンジ構造のねじれを抑え、表示部のブレを防止することである。
【課題を解決するための手段】
【０００７】
以上の課題を解決するため、請求項１に記載の発明は、操作部を備える操作部筐体と、表示部を備える表示部筐体と、前記操作部筐体と前記表示部筐体とを重ね合わせ可能に接続するとともに、前記表示部筐体を前記操作部筐体への重ね合わせ面を切り替えるように回動可能に支持する支持筐体とを備える電子機器において、前記操作部筐体の前記表示部筐体に対向する面には、前記操作部が設けられるとともに、前記表示部筐体と当接し前記操作部との間隔を確保するスペーサが設けられ、前記表示部筐体の前記表示部が設けられた面と反対側の面には、前記表示部筐体内の光源から放射される光を外部へ導く導光体が設けられ、前記導光体は前記スペーサと係合することを特徴とする。
【０００８】
請求項２に記載の発明は、操作部を備える操作部筐体と、表示部を備える表示部筐体と、前記操作部筐体と前記表示部筐体とを重ね合わせ可能に接続するとともに、前記表示部筐体を前記操作部筐体への重ね合わせ面を切り替えるように回動可能に支持する支持筐体とを備える電子機器において、前記表示部筐体の前記表示部が設けられた面とは反対側の面には、前記操作部筐体と係合する係合部が設けられていることを特徴とする。
【０００９】
請求項３に記載の発明は、請求項２に記載の電子機器であって、前記操作部は前記操作部筐体の前記表示部筐体に対向する面に設けられ、前記操作部筐体と前記表示部筐体の互いに対向する面の一方には、前記操作部と前記表示部筐体との接触を防ぐスペーサが設けられ、他方に前記スペーサと係合する係合部が設けられることを特徴とする。
【００１０】
請求項４に記載の発明は、請求項２または３に記載の電子機器であって、前記係合部は電子機器内の光源から放射される光を外部へ導く導光体であることを特徴とする。
【００１１】
請求項５に記載の発明は、請求項２〜４のいずれか一項に記載の電子機器であって、前記操作部筐体は、前記表示部筐体に対向する面と反対側の面に撮像装置を備え、前記表示部は前記表示部筐体の前記操作部筐体と対向する面と反対側の面に配置され、前記表示部は前記撮像装置による撮像動作時にファインダーとして用いられることを特徴とする。
【発明の効果】
【００１２】
本発明によれば、ヒンジ構造のねじれを抑え、表示部のブレを防止することができる。
【発明を実施するための最良の形態】
【００１３】
以下、本発明の第１の実施の形態として、２軸ヒンジを有する折り畳み式の携帯電話機について詳細に説明する。図１は開いた状態における携帯電話機１の正面図であり、図２は右側面図である。携帯電話機１は、操作部筐体２と、表示部筐体３と、支持筐体４とから概略構成されている。操作部筐体２と表示部筐体３とは、端部で支持筐体４により折り畳んで重ね合わせられるように接続されている。
【００１４】
図３は折り畳んで閉じた状態（第１の折り畳み状態）、図４は後述する第２の折り畳み状態の携帯電話機１を示す斜視図である。また、図５は図３のV−V矢視断面図であり、図６（ａ）は図４のVI−VI矢視断面図であり、（ｂ）は（ａ）のＢ部の拡大図である。
また、図７は図５のVII−VII矢視断面図であり、図８は図６のVIII−VIII矢視断面図である。また、図９は第２の折り畳み状態から操作部筐体２に対して表示部筐体３を開いた状態を示す斜視図である。
【００１５】
操作部筐体２の、折り畳んだ状態で表示部筐体３と対向する面には、キー操作部５、通話用マイク６等が設けられている。
また、操作部筐体２の、折り畳んだ状態で表示部筐体３と対向する面には、支持筐体４と接続された端部と反対側の端部に、スペーサ２０が設けられている。スペーサ２０は、図７に示すように、第１の折り畳み状態において、表示部筐体３のスピーカ孔１１に嵌合する。スペーサ２０は、キー操作部５と表示部筐体３との間に空間を確保するとともに、キー操作部５と表示部筐体３とが衝突する衝撃を吸収する緩衝材となる。スペーサ２０は左右の突出部２１，２１を有し、その間に凹部２２が形成されている。
【００１６】
図１０は操作部筐体２の背面図である。操作部筐体２の背面には、撮像装置７が設けられている。また、操作部筐体２の右側の側面には、サイドキー８及びシャッターキー９が設けられている。シャッターキー９は、撮像装置７による撮像動作に用いられる。
【００１７】
表示部筐体３の一方の面には、メイン表示部１２が設けられている。メイン表示部１２は携帯電話機１の各種操作に用いられる。一方、撮像装置７による撮像動作においては、メイン表示部１２がファインダーとして用いられ、視認性を向上させることができる。
【００１８】
また、表示部筐体３には音声通話用のスピーカ１３が内蔵されており、表示部筐体３のメイン表示部１２が設けられた面には、第１の折り畳み状態において、スペーサ２０と対向する位置にスピーカ孔１１が設けられている。スピーカ孔１１には、図８に示すように、第１の折り畳み状態において、スペーサ２０が嵌合する。
【００１９】
また、表示部筐体３のメイン表示部１２が設けられた面の裏面には、支持筐体４と反対側の端部に、報知部３０が設けられている。報知部３０は導光体であり、表示部筐体３に内蔵されたＬＥＤ光源３１の光を外部へ導く。電話着信時やメール受信時に表示部筐体３に内蔵されたＬＥＤ光源３１を点灯・点滅させることで着信やメール受信をユーザに報知することができる。
【００２０】
報知部３０の表面は表示部筐体３の裏面よりも突出しているため、ＬＥＤ光源３１の光が広範囲に拡散し、視認性が向上している。報知部３０の凸形状は、スペーサ２０の凹部２２と対応している。
図７に示すように、第２の折り畳み状態において、スペーサ２０の凹部２２に報知部３０が配置され、表示部筐体３が操作部筐体２に対して左右方向にずれることを防止することができる。
【００２１】
支持筐体４は、操作部筐体２の一端と左右２箇所で接続され、内蔵されたヒンジ４１により操作部筐体２に対して回転可能に設けられている。このため、表示部筐体３及び支持筐体４を操作部筐体２に対して重ね合わせることができ、ヒンジ４１により携帯電話機１を折り畳み可能としている。また、ヒンジ４１は、携帯電話機１を図１、図２に示す開状態で安定するように開く方向に付勢するとともに、図３、図４に示す折り畳み状態において安定するように閉じる方向に付勢する。
【００２２】
また、支持筐体４の左右方向の中央部には、支持筐体４と表示部筐体３と接続するヒンジ４２が設けられている。ヒンジ４２は、表示部筐体３と、支持筐体４とを回転可能とするとともに、表示部筐体３と、支持筐体４が１８０度回転した位置において面一となるような状態で安定するように保持する。
【００２３】
ヒンジ４２により表示部筐体３を支持筐体４に対して回転させることで、携帯電話機１を折り畳んだときに表示部筐体３の操作部筐体２と対向する面を変更することができる。すなわち、図３に示すように、メイン表示部１２とキー操作部５とが対向する状態（第１の折り畳み状態）、または、図４に示すように、報知部３０とスペーサ２０とが対向する状態（第２の折り畳み状態）に切り替えることができる。
【００２４】
第２の折り畳み状態では、携帯電話機１の一方の面に撮像装置７が配置され、他方の面にメイン表示部１２が配置される。このため、メイン表示部１２側をユーザに、撮像装置７を被写体側に配置して撮像動作を行うことができる。このとき、ユーザはメイン表示部１２をファインダーとして用いることができる。
【００２５】
ここで、第２の折り畳み状態では、ヒンジ４１により操作部筐体２と表示部筐体３とが閉じる方向に付勢されている。このため、スペーサ２０の凹部２２と報知部３０との係合状態が保たれ、表示部筐体３の支持筐体４及び操作部筐体２に対するねじれを防ぐことができる。
【００２６】
本発明においては、第２の折り畳み状態において、スペーサ２０の凹部２２に報知部３０を係合させて表示部筐体３の支持筐体４に対するねじれを防ぐので、メイン表示部１２をファインダーとして用いる場合にファインダーのブレを抑制することができる。
【００２７】
なお、スペーサ２０及び報知部３０の形状は、上記の実施形態に限ることはない。
図１１、図１２は本発明の変形例に係る図８に相当する断面図である。例えば、図１１に示すように、スペーサ２０に凹部２２を複数設けるとともに、報知部３０に複数の凸部３２を設け、凹部２２と凸部３２とを係合させてもよい。
【００２８】
あるいは、図１２に示すように、スペーサ２０に凸部２１及び凹部２２を設けるとともに、報知部３０の凸部２１と対応する凹部３３、凹部２２と対応する凸部３２を設け、段差部分で両者を係合させてもよい。
【００２９】
このような変形例においても、スペーサ２０に報知部３０を係合させて表示部筐体３の支持筐体４に対するねじれを防ぐので、メイン表示部１２をファインダーとして用いる場合にファインダーのブレを抑制することができる。
【００３０】
以上の実施形態においては、操作部筐体２及び表示部筐体３の支持筐体４と反対側の端部にスペーサ２０及び報知部３０を設けたが、必ずしも端部に設けなくてもよい。
また、操作部筐体２に報知部３０を設け、表示部筐体３にスペーサ２０を設けてもよい。
【図面の簡単な説明】
【００３１】
【図１】開いた状態における携帯電話機１の正面図である。
【図２】携帯電話機１の右側面図である。
【図３】折り畳んで閉じた状態（第１の折り畳み状態）の携帯電話機１を示す斜視図である。
【図４】第２の折り畳み状態の携帯電話機１を示す斜視図である。
【図５】図３のV−V矢視断面図である。
【図６】（ａ）は図４のVI−VI矢視断面図であり、（ｂ）は（ａ）のＢ部の拡大図である。
【図７】図５のVII−VII矢視断面図である。
【図８】図６のVIII−VIII矢視断面図である。
【図９】第２の折り畳み状態から操作部筐体２に対して表示部筐体３を開いた状態を示す斜視図である。
【図１０】操作部筐体２の背面図である。
【図１１】本発明の変形例に係る図８に相当する断面図である。
【図１２】本発明の変形例に係る図８に相当する断面図である。
【符号の説明】
【００３２】
１  電子機器
２  操作部筐体
３  表示部筐体
４  支持筐体
７  撮像装置
１２  表示部
２０  スペーサ
２２  凹部
３０  報知部（係合部）
【図１】
2010088012.tif 000003
【図２】
2010088012.tif 000004
【図３】
2010088012.tif 000005
【図４】
2010088012.tif 000006
【図５】
2010088012.tif 000007
【図６】
2010088012.tif 000008
【図７】
2010088012.tif 000009
【図８】
2010088012.tif 000010
【図９】
2010088012.tif 000011
【図１０】
2010088012.tif 000012
【図１１】
2010088012.tif 000013
【図１２】
2010088012.tif 000014